(57)【要約】【課題】内面に記録層を有するディスク状記録媒体及びカートリッジに収納したディスク状記録媒体でも容易に読み取り不能とする事ができるようにすることを目的とする。【解決手段】廃棄処分するディスク状記録媒体を読み取り不能とするためのディスク状記録媒体の破壊装置であって、このディスク状記録媒体の少なくとも一部を物理的に変形させるようにしたものである。【選択図】　　　　図１
2004039059.tif 000002
【特許請求の範囲】
【請求項１】
廃棄処分するディスク状記録媒体を読み取り不能とするためのディスク状記録媒体の破壊装置であって、
前記ディスク状記録媒体の少なくとも一部を物理的に変形させるようにしたことを特徴とするディスク状記録媒体の破壊装置。
【請求項２】
請求項１記載のディスク状記録媒体の破壊装置において、
前記ディスク状記録媒体の記録部の少なくとも内周部を変形させるようにしたことを特徴とするディスク状記録媒体の破壊装置。
【請求項３】
請求項１記載のディスク状記録媒体の破壊装置において、
前記ディスク状記録媒体を凹凸の間に挟んで変形させるようにしたことを特徴とするディスク状記録媒体の破壊装置。
【請求項４】
請求項１記載のディスク状記録媒体の破壊装置において、
前記ディスク状記録媒体の２つの部分を夫々保持し、前記２つの部分を相対的に回動し、前記ディスク状記録媒体を変形するようにしたことを特徴とするディスク状記録媒体の破壊装置。
【請求項５】
請求項１記載のディスク状記録媒体の破壊装置において、
前記ディスク状記録媒体に切れ目を入れるようにして変形するようにしたことを特徴とするディスク状記録媒体の破壊装置。
【請求項６】
請求項１記載のディスク状記録媒体の破壊装置において、
カートリッジに収納された前記ディスク状記録媒体を前記カートリッジに収納したまま変形するようにしたことを特徴とするディスク状記録媒体の破壊装置。
【請求項７】
請求項１記載のディスク状記録媒体の破壊装置において、
前記ディスク状記録媒体の一部をこのディスク状記録媒体の破壊装置から外に出るようにして、この出た部分を手で保持しながら変形するようにしたことを特徴とするディスク状記録媒体の破壊装置。
【請求項８】
請求項１記載のディスク状記録媒体の破壊装置において、
ハンドルを設け、該ハンドルを操作することにより手動で前記ディスク状記録媒体を変形するようにしたことを特徴とするディスク状記録媒体の破壊装置。
【請求項９】
請求項１記載のディスク状記録媒体の破壊装置において、
モータ等による駆動部を設け、該駆動部の駆動により、機械的に前記ディスク状記録媒体を変形するようにしたことを特徴とするディスク状記録媒体の破壊装置。
【発明の詳細な説明】
【０００１】
【発明の属する技術分野】
本発明は、記録済のディスク状記録媒体を廃棄処分する際に、機密保持等の為、読み取り不能とするディスク状記録媒体の破壊装置に関する。
【０００２】
【従来の技術】
一般に、ユーザが情報を記録した後のディスク状記録媒体や記録済のディスク状記録媒体を廃棄処分する際に、機密保持等の為、読み取り不能な状態にする必要がある場合がある。
【０００３】
従来、このディスク状記録媒体を読み取り不能とするのに、このディスク状記録媒体がＣＤ−Ｒのようにディスク状記録媒体の片面に記録層が形成されているような場合に、この記録層の密着力より強い粘着力を持つ剥離用シートを用い、この記録層を剥離するようにしたものが提案されている（特開平１１−１３４７２２号公報参照）。
【０００４】
また他の従来例として、このディスク状記録媒体の表面をカッタやヤスリで傷つけたり、荒らしたりするようにしたものが提案されている（実開平５−９０６１２号公報参照、特開昭６４−３００４号公報参照）。
【０００５】
【発明が解決しようとする課題】
然しながら、この従来例の記録層の密着力より強い粘着力を持つ剥離用シートを用いるものにおいては、記録層の密着力が弱いＣＤ−Ｒでは簡単にこの記録層を剥離することができるが、密着力のより強い通常のＣＤ−ＲＯＭや、複数のプラスチックディスクを張り合わせ、記録層が内面にあるＤＶＤ−ＲＯＭやＤＶＤ−Ｒ等のディスク状記録媒体ではこの剥離用シートで記録層を剥離することはできなかった。
【０００６】
また従来例のディスク状記録媒体の表面をカッタやヤスリで傷つけたり、荒らしたりする方法では、ディスク状記録媒体の表面に記録層のあるＣＤ−ＲやＣＤ−ＲＯＭなら確実に読み取り不能とできるが、記録層が内面にあるＤＶＤ−ＲＯＭやＤＶＤ−Ｒ等のディスク状記録媒体では、傷ついた表面を磨きなおしてしまえば読み出し可能となる不都合がある。
【０００７】
更に、上述従来例では裸のディスク状記録媒体、所謂ベアディスクに対応することができるが、このディスク状記録媒体がカートリッジに内蔵されているＤＶＤ−ＲＯＭカートリッジや所謂Ｂｌｕ−ｒａｙディスク等では、ディスク状記録媒体をカートリッジから取り出す必要があり、実行が難しいという不都合があった。
【０００８】
本発明は、斯る点に鑑み、内面に記録層を有するディスク状記録媒体及びカートリッジに収納したディスク状記録媒体でも容易に読み取り不能とすることができるようにすることを目的とする。
【０００９】
【課題を解決するための手段】
本発明ディスク状記録媒体の破壊装置は廃棄処分するディスク状記録媒体を読み取り不能とするためのディスク状記録媒体の破壊装置であって、このディスク状記録媒体の少なくとも一部を物理的に変形させるようにしたものである。
【００１０】
本発明によればディスク状記録媒体の少なくとも一部を物理的に変形するので、録再機にスロットインしたり、トレイに配置することが難しくなり、ターンテーブルに置けたとしても、このディスク状記録媒体の変形により読み取りが不能となると共に内面に記録層を有するディスク状記録媒体及びカートリッジに収納したディスク状記録媒体でも容易に物理的に変形でき読み取り不能とできる。
【００１１】
【発明の実施の形態】
以下図面を参照して本発明ディスク状記録媒体の破壊装置の実施の形態の例に付き説明する。
【００１２】
図１において、１は上面が長方形の比較的厚めの例えば鋼鉄板より成る基台を示し、この基台１の上面の略中央部にこの基台１の左右を横切る如くＶ字状のＶ溝２を設ける。
【００１３】
この基台１の上面の大きさはカートリッジに入っていないディスク状記録媒体所謂ベアディスク１０、フロッピーディスク１１、光ディスクカートリッジ１２等のディスク状記録媒体が載置できる大きさとする。
【００１４】
この基台１の一端側の左及び右側に例えば鋼鉄より成る柱体３ａ及び３ｂを固定し、基台１の上面にこの柱体３ａ及び３ｂを横架すると共にこの柱体３ａ及び３ｂに一端側及び他端側を夫々軸支して回動自在に例えば鋼鉄より成る圧体４を設ける。
【００１５】
この圧体４のこの基台１のＶ溝２に対応する部分にこのＶ溝２に嵌合する如きＶ字状の横長のＶ突起５を形成する如くする。
【００１６】
この圧体４の軸支側とは反対側にこの基台１の他端側に延びる如き例えば鋼鉄より成る円柱状のハンドル６の一端を植設して固定し、このハンドル６の他端である遊端に略球形の把手６ａを設け、このハンドル６の把手６ａを握って、この圧体４を回動する如くする。
【００１７】
この場合、このハンドル６の把手６ａを握って上方に持ち上げたときには、この基台１の上面と圧体４との間にベアディスク１０、フロッピーディスク１１、光ディスクカートリッジ１２等のディスク状記録媒体を載置できる如くすると共にこのハンドル６の把手６ａを握って押し下げたときには、この圧体４の横長のＶ字突起５がこの基台１のＶ溝２に嵌合する如くする。
【００１８】
本例は、上述の如く構成されているので、例えばフロッピーディスク１１を廃棄処分する際に読み取り不能とするときには、まず図２Ａに示す如くハンドル６の把手６ａを握って上方に持ち上げ、基台１の上面と圧体４との間にこのフロッピーディスク１１を載置する如くする。この図２において、１１ａはディスク状記録媒体、１１ｂはカートリッジである。
【００１９】
次に図２Ｂに示す如くこのハンドル６の把手６ａを握って押し下げたときには、このフロッピーディスク１１は、この基台１のＶ溝２と圧体４のＶ突起５とにより図２Ｂ、図４に示す如くＶ字状に折り曲げられる。
【００２０】
本例によればフロッピーディスク１１がＶ字状に折り曲げられるので、録再機にスロットインしたり、トレイに配置することが難しくなり、ターンテーブルに置けたとしても、このフロッピーディスク１１のＶ字状折り曲げにより読み取りが不能となると共にカートリッジ１１ｂに、収納したディスク状記録媒体１１ａでもＶ字状に折り曲げることができ、読み取り不能とすることができる。
【００２１】
従ってベアディスク１０、フロッピーディスク１１、光ディスクカートリッジ１２、内面に記録層を有するディスク状記録媒体等を廃棄する際に図１例のディスク状記録媒体の破壊装置を使用したときには、このベアディスク１０、フロッピーディスク１１、光ディスクカートリッジ１２、内面に記録層を有するディスク状記録媒体等は図３〜図５に示す如くＶ字状に折り曲げられ、録再機にスロットインしたり、トレイに配置することが難しくなり、ターンテーブルに置けたとしても、このディスク状記録媒体のＶ字状折り曲げにより読み取りが不能となると共に内面に記録層を有するディスク状記録媒体及びカートリッジに収納したディスク状記録媒体でも容易にＶ字状に折り曲げられ、読み取り不能とできる。
【００２２】
図６及び図７は本発明の実施の形態の他の例を示す。この図６、図７において、２０は上面が長方形の比較的厚めの例えば鋼鉄板より成る基台を示し、この基台２０の一端側の上面に、ベアディスク１０、フロッピーディスク１１、光ディスクカートリッジ１２等のディスク状記録媒体の一部を保持する保持機構２１を固定して設ける。
【００２３】
この保持機構２１は所定厚さの例えば鋼鉄板にこの基台２０の一端側の辺に沿った所定深さの横長穴２２を形成すると共にこの横長穴２２の深さ方向が開口側に向って上方に所定角度傾斜する如く固定して設けたものである。
【００２４】
この場合、この横長穴２２の深さ方向に沿ってベアディスク１０、フロッピーディスク１１、光ディスクカートリッジ１２等のディスク状記録媒体の一側の一部を挿入保持する如くなされたものである。
【００２５】
この基台２０の中央部の左及び右側に例えば鋼鉄より成る柱体２３ａ及び２３ｂを固定し、この基台２０の上面上に、この柱体２３ａ及び２３ｂを横架すると共にこの柱体２３ａ及び２３ｂに一端側及び他端側を夫々軸支して回動自在に例えば鋼鉄より成る回動保持機構２４を設ける。
【００２６】
この回動保持機構２４は比較的厚めの鋼鉄板に横長の貫通孔２５が形成されたものである。この貫通孔２５は所定位置で、保持機構２１の横長穴２２の深さ方向の延長線上にある如くする。
【００２７】
この横長の貫通孔２５はベアディスク１０、フロッピーディスク１１、光ディスクカートリッジ１２等のディスク状記録媒体を貫通し、このベアディスク１０、フロッピーディスク１１、光ディスクカートリッジ１２等のディスク状記録媒体の他側の一部を保持する如くする。
【００２８】
この回動保持機構２４にこの回動保持機構２４の保持機構２１とは反対側に、この基台２０の他端側に延びる如き例えば鋼鉄より成る円柱状のハンドル２６の一端を植設して固定し、このハンドル２６の他端である遊端に略球形の把手２６ａを設け、このハンドル２６の把手２６ａを握って、この回動保持機構２４を回動する如くする。
【００２９】
本例は上述の如く構成されているので、例えばフロッピーディスク１１を廃棄処分する際に読み取り不能とするときには、まず図７Ａに示す如く、ハンドル２６の把手２６ａを握って所定位置まで上方に持ち上げて、回動保持機構２４の貫通孔２５が保持機構２１の横長穴２２の深さ方向の延長線上にある如くし、貫通孔２５側からこのフロッピーディスク１１を挿入し、このフロッピーディスク１１の先端側を横長穴２２に挿入保持する如くする。
【００３０】
この場合このフロッピーディスク１１の一端側が保持機構２１の横長穴２２に保持され、このフロッピーディスク１１の他端側がこの貫通孔２５に保持される。
【００３１】
次に図７Ｂに示す如く、このハンドル２６の把手２６ａを握って押し下げたときにはこのフロッピーディスク１１は、この保持機構２１と回動保持機構２４とにより図７Ｂ、図４に示す如くＶ字状に折り曲げられる。
【００３２】
本例によればフロッピーディスク１１がＶ字状に折り曲げられるので、録再機にスロットインしたり、トレイに配置することが難しくなり、ターンテーブルに置けたとしても、このフロッピーディスク１１のＶ字状折り曲げにより読み取りが不能となると共にカートリッジ１１ｂに、収納したディスク状記録媒体１１ａでもＶ字状に折り曲げることができ、読み取り不能とすることができる。
【００３３】
従ってベアディスク１０、フロッピーディスク１１、光ディスクカートリッジ１２、内面に記録層を有するディスク状記録媒体等を廃棄する際に図６例のディスク状記録媒体の破壊装置を使用したときには、このベアディスク１０、フロッピーディスク１１、光ディスクカートリッジ１２、内面に記録層を有するディスク状記録媒体等は図３〜図５に示す如くＶ字状に折り曲げられ、録再機にスロットインしたり、トレイに配置することが難しくなり、ターンテーブルに置けたとしても、このディスク状記録媒体のＶ字状折り曲げにより読み取りが不能となると共に内面に記録層を有するディスク状記録媒体及びカートリッジに収納したディスク状記録媒体でも容易にＶ字状に折り曲げられ、読み取り不能とできる。
【００３４】
図８Ａ，Ｂは本発明の実施の形態の更に他の例を示す。
この図８Ａ，Ｂにおいて、３０は上面が長方形の比較的厚めの例えば鋼鉄板より成る基台を示し、この基台３０の一端側の上面にベアディスク１０、フロッピーディスク１１、光ディスクカートリッジ１２等のディスク状記録媒体の片側の一部をくわえる如く保持する片側保持機構３１を固定して設ける。
【００３５】
この片側保持機構３１は、所定厚さの例えば鋼鉄板にこの基台３０の一端側の辺に沿った一側が解放された所定深さのベアディスク１０、フロッピーディスク１１、光ディスクカートリッジ１２等のディスク状記録媒体の略半分程度の長さの横長穴３２を形成すると共にこの横長穴３２の深さ方向が開口側（基台３０の他端側）に向って上方に所定角度傾斜する如く固定して設けたものである。
【００３６】
この場合、この横長穴３２の深さ方向に沿ってベアディスク１０、フロッピーディスク１１、光ディスクカートリッジ１２等のディスク状記録媒体の一側の片側の一部をくわえる如く保持する如くしたものである。この場合、この横長穴３２の他側をベアディスク及びカートリッジに夫々対応する如く２段にするを可とする。
【００３７】
この基台３０の中央部の例えば右側に例えば鋼鉄より成る柱体３３を固定し、この基台３０の上面上にこの保持機構３１の横長穴３２に沿うと共にこの柱体３３に他側を軸支して回動自在に例えば鋼鉄より成る回動保持機構３４を設ける。
【００３８】
この回動保持機構３４は比較的厚めの鋼鉄板に一側が解放された横長の貫通孔３５が形成されたものである。この貫通孔３５は所定位置で片側保持機構３１の横長穴３２の深さ方向の延長線上にある如くする。
【００３９】
この横長の貫通孔３５はベアディスク１０、フロッピーディスク１１、光ディスクカートリッジ１２等のディスク状記録媒体の略片側半分をくわえる如く貫通し、このベアディスク１０、フロッピーディスク１１、光ディスクカートリッジ１２等のディスク状記録媒体の他側の片側の一部をくわえる如く保持する如くする。この場合、この貫通孔３５の他側をベアディスク及びカートリッジに夫々対応する如く２段にするを可とする。
【００４０】
この回動保持機構３４の片側保持機構３１とは反対側に、この基台３０の他端側に延びる如き例えば鋼鉄より成る円柱状のハンドル３６の一端を植設して固定し、このハンドル３６の他端である遊端に略球形の把手３６ａを設け、このハンドル３６の把手３６ａを握って、この回動保持機構３４を回動する如くする。
【００４１】
本例は上述の如く構成されているので、例えばフロッピーディスク１１を廃棄処分する際に読み取り不能とするときには、先ず、図８Ａに示す如く、ハンドル３６の把手３６ａを握って、所定位置まで上方に持ち上げて、回動保持機構３４の貫通孔３５が片側保持機構３１の横長穴３２の深さ方向の延長線上にある如くし、この横長穴３２及び貫通穴３５の解放端側からこのフロッピーディスク１１を挿入し、この横長穴３２及び貫通孔３５がこのフロッピーディスク１１をくわえる如く保持する。
【００４２】
次に図８Ｂに示す如く、このハンドル３６の把手３６ａを握って押し下げたときにはこのフロッピーディスク１１の片側はこの片側保持機構３１と回転保持機構３４とにより図７Ｂ、図９に示す如くＶ字状に折り曲げられる。
【００４３】
本例によればフロッピーディスク１１の片側がＶ字状に折り曲げられ、例えば図９に示す如くシャッター１１ｃが折り曲げられたときはカートリッジが開閉できなくなるし、ディスク状記録媒体も片側がＶ字状に折り曲げられるので、録再機にスロットインしたり、トレイに配置することが難しくなり、ターンテーブルに置けたとしても、このフロッピーディスク１１の片側のＶ字状折り曲げにより読み取りが不能となると共にカートリッジ１１ｂに、収納したディスク状記録媒体１１ａでもその片側をＶ字状に折り曲げることができ、読み取り不能とすることができる。
【００４４】
従ってベアディスク１０、フロッピーディスク１１、光ディスクカートリッジ１２、内面に記録層を有するディスク状記録媒体等を廃棄する際に図１例のディスク状記録媒体の破壊装置を使用したときには、このベアディスク１０、フロッピーディスク１１、光ディスクカートリッジ１２、内面に記録層を有するディスク状記録媒体等は図９〜図１０に示す如く、片側がＶ字状に折り曲げられ、録再機にスロットインしたり、トレイに配置することが難しくなり、ターンテーブルに置けたとしても、このディスク状記録媒体の片側のＶ字状折り曲げにより読み取りが不能となると共に内面に記録層を有するディスク状記録媒体及びカートリッジに収納したディスク状記録媒体でも容易に片側がＶ字状に折り曲げられ、読み取り不能とできる。
【００４５】
図１１は、本発明の実施の形態の更に他の例を示す。図１１において、４０は上面が長方形の比較的厚めの例えば鋼鉄板より成る基台を示し、この基台４０の上面の略中央部にこの基台４０の左右を横切る凹形状の溝４１を設ける。
【００４６】
この基台４０の上面の横方向の寸法はベアディスク１０、フロッピーディスク１１、光ディスクカートリッジ１２等のディスク状記録媒体を載置したときにはみ出す如き寸法とし、このはみ出た部分のディスク状記録媒体を手で握むことができる如くする。
【００４７】
この基台４０の一端側の右側に例えば鋼鉄より成る柱体４２を固定し、この基台４０の上面上に一端側面をこの柱体に回動自在に軸支した所定厚の例えば鋼鉄より成る圧板４３を設ける。
【００４８】
この圧板４３の下面の、この圧板４３のこの基台４０の溝４１に対応する部分にこの溝４１に挿入される如き、先細の横長突起４４を設ける如くする。この横長突起４４の長さをディスク状記録媒体の半径方向における記録部の長さ以上とする如くする。
【００４９】
この圧板４３の軸支側とは反対側の前面にこの基台４０の他端側に延びる如き例えば鋼鉄より成る円柱状のハンドル４５の一端を植設して固定し、このハンドル４５の他端である遊端に略球形の把手４５ａを設け、このハンドル４５の把手４５ａを握って、この圧板４３を回動する如くする。
【００５０】
この場合、このハンドル４５の把手４５ａを握って上方に持ち上げたときには、この基台４０の上面と圧板４３との間にベアディスク１０、フロッピーディスク１１、光ディスクカートリッジ１２等のディスク状記録媒体を載置できる如くすると共にこのハンドル４５の把手４５ａを握って押し下げたときにはこの圧板４３の横長突起４４がこの溝４１に挿入される如くする。
【００５１】
本例は上述の如く構成されているので例えばベアディスク１０を廃棄処分する際に読み取り不能とするときには、ハンドル４５の把手４５ａを握って、上方に持ち上げ、基台４０の上面と圧板４３との間にベアディスク１０を載置する如くする。
【００５２】
この場合、このベアディスク１０の記録部の内周部がこの圧板４３の横長突起４４に対向する如くする。
【００５３】
次に図１１に示す如く、このベアディスク１０を片手で持ち他の手でこのハンドル４５の把手４５ａを握って押し下げたときには、このベアディスク１０は基台４０の溝４１と圧板４３の横長突起４４とにより図１０に示す如く、このベアディスク１０の片側の半径方向が折り曲げられ変形する。
【００５４】
本例によればベアディスク１０の片側が折り曲げられるので録再機にスロットインしたり、トレイに配置することが難しくなり、ターンテーブルに置けたとしても、このベアディスク１０の片側が折り曲げられているので読み取りが不能となる。
【００５５】
この場合変形される部分は、少なくとも記録部の内周部であれば良い。この記録部の内周部を変形したときは、ＴＯＣ（Ｔａｂｌｅ　ｏｆ　Ｃｏｎｔｅｎｓ）の部分が読み取り不能となるので、ディスク状記録媒体の読み取りが出来なくなる。
【００５６】
この記録部の内周部から外周部まで変形すれば確実に読み取り不可能となる。ここで図１０に示す如くベアディスクの片側の半径方向のみの変形処理で十分であり、またこの片側だけの変形処理はベアディスク全面に亘って変形処理するよりも装置は簡単でありまた、変形させる力も弱くて済む効果がある。
【００５７】
またこの場合連続的な折り曲げに限らず、いくつかの点や線で結果として記録部の内周部から外周部までの変形処理であっても良い。
【００５８】
斯る図１１例のディスク状記録媒体の破壊装置もフロッピーディスク１１、光ディスクカートリッジ等のディスク状記録媒体に適用でき、この図１１例においても上述同様の作用効果が得られることは容易に理解できよう。
【００５９】
上述例は手動でディスク状記録媒体を変形する例につき述べたが、図１２に示す如くモータ、プランジャソレノイド等による駆動部を設け、この駆動部の駆動により機械的にディスク状記録媒体を変形するようにしても良い。
【００６０】
この図１２につき説明するに、図１２において、５０は基台を示し、この基台５０の一側に電動式破壊機構部５１を設ける。この電動式破壊機構部５１は駆動手段としてモータ５２を設け、このモータ５２の回転をギア５２，５３，５４，５４ａを介して大ギア５５に伝達する如くなす。
【００６１】
この大ギア５５にはアーム５６の一端を回動自在に固定すると共にこのアーム５６の他端にブレード５７が上下方向に移動自在に設けられ、この大ギア５５が１回転する毎にこのブレード５７が１回上下動する如くなされている。このブレード５７は手前が斜めになっていると共にこのディスク状記録媒体の片側（半径）に対応する長さである。
【００６２】
この基台５０の上面のブレード５７に対応する位置に図１３に示す如く比較的厚めのゴム板５８が設けられており、このブレード５７の刃先がこのゴム板５８にくい込む如くなされている。
【００６３】
また図１２において、５９はベアディスク１０、フロッピーディスク１１、光ディスクカートリッジ１２等ディスク状記録媒体を挿入できるようになされた挿入口である。また、６０は電源スイッチ、６１は電源が入っていることを示す電源ランプである。
【００６４】
また６２ａ及び６２ｂはディスク状記録媒体が挿入口５９より挿入され所定位置例えばディスク状記録媒体がこの挿入口５９に略半分挿入された状態となったときに挿入されたことを検出する検出スイッチを示し、電源スイッチ６０をオンした後この検出スイッチ６２ａ及び６２ｂが夫々検出しオンしたときにモータ５２に電源を供給し、ブレード５７を下方に移動する如くなしたものである。
【００６５】
６３ａ及び６３ｂは挿入口５９にディスク状記録媒体が挿入され所定位置に配されたときに下降し、このディスク状記録媒体を押えて固定する固定手段である。
【００６６】
図１２例は上述の如く構成されており、ベアディスク１０、フロッピーディスク１１、光ディスクカートリッジ１２、内面に記録層を有するディスク状記録媒体等を廃棄する際、電源スイッチ６０をオンし、このディスク状記録媒体を挿入口５９より挿入し、検出スイッチ６２ａ，６２ｂがオンしたときはブレード５７が上下動し、図１４、図１５に示す如く切れ目を入れると共に変形をさせる。
【００６７】
この図１２例では、このディスク状記録媒体をばらばらの切片に切り裂くのではなく、このディスク状記録媒体の一部のみを変形又は破断するようにしたので、装置が簡単な構造で小型のものですみ、また、変形又は破断後のディスク状記録媒体の処分もばらばらの切片でなく一体のままなので、取り扱いが簡単になる効果がある。
【００６８】
従ってベアディスク１０、フロッピーディスク１１、光ディスクカートリッジ１２、内面に記録層を有するディスク状記録媒体等を廃棄する際に図１２例のディスク状記録媒体の破壊装置を使用したときには、このベアディスク１０、フロッピーディスク１１、光ディスクカートリッジ１２、内面に記録層を有するディスク状記録媒体等は図１４、図１５に示す如く片側の切れ目が入ると共に変形し、録再機にスロットインしたり、トレイに配置することが難しくなり、ターンテーブルに置けたとしても、このディスク状記録媒体の片側の切れ目及び変形により読み取りが不能となると共に内面に記録層を有するディスク状記録媒体及びカートリッジに収納したディスク状記録媒体でも片側の切れ目及び変形により、読み取り不能とできる。
【００６９】
また図１２例では、電動により変形処理するようにしたので力のない人でも良好に変形処理を行うことができる。
【００７０】
尚本発明は上述例に限ることなく本発明の要旨を逸脱することなく、その他種々の構成が採り得ることは勿論である。
【００７１】
【発明の効果】
本発明によればベアディスク、フロッピーディスク、光ディスクカートリッジ、内面に記録層を有するディスク状記録媒体等を廃棄する際に本発明のディスク状記録媒体の破壊装置を使用したときには、このベアディスク、フロッピーディスク、光ディスクカートリッジ、内面に記録層を有するディスク状記録媒体等は物理的に変形され録再機にスロットインしたり、トレイに配置することが難しくなり、ターンテーブルに置けたとしても、このディスク状記録媒体の物理的変形により読み取りが不能となると共に内面に記録層を有するディスク状記録媒体及びカートリッジに収納したディスク状記録媒体でも容易に物理的に変形され、読み取り不能とできる。
【図面の簡単な説明】
【図１】本発明ディスク状記録媒体の破壊装置の実施の形態の一例を示す斜視図である。
【図２】図１の動作の説明に供する断面図である。
【図３】本発明の説明に供する斜視図である。
【図４】本発明の説明に供する斜視図である。
【図５】本発明の説明に供する斜視図である。
【図６】本発明の実施の形態の他の例を示す斜視図である。
【図７】図６の動作の説明に供する断面図である。
【図８】本発明の実施の形態の他の例を示す斜視図である。
【図９】本発明の説明に供する斜視図である。
【図１０】本発明の説明に供する斜視図である。
【図１１】本発明の実施の形態の他の例を示す斜視図である。
【図１２】本発明の実施の形態の他の例を示す斜視図である。
【図１３】図１２の要部の例を示す断面図である。
【図１４】本発明の説明に供する斜視図である。
【図１５】本発明の説明に供する斜視図である。
【符号の説明】
１，２０，３０，４０，５０‥‥基台、２‥‥Ｖ溝、３ａ，３ｂ，２３ａ，２３ｂ，３３，４２‥‥柱体、４‥‥圧体、５‥‥Ｖ突起、６，２６，３６，４５‥‥ハンドル、１０‥‥ベアディスク、１１‥‥フロッピーディスク、１２‥‥光ディスクカートリッジ、２１‥‥保持機構、２２，３２‥‥横長穴、２４，３４‥‥回動保持機構、２５，３５‥‥貫通孔、３１‥‥片側保持機構、４１‥‥溝、４３‥‥圧板、４４‥‥横長突起、５２‥‥モータ、５７‥‥ブレード
【図１】
2004039059.tif 000003
【図２】
2004039059.tif 000004
【図３】
2004039059.tif 000005
【図４】
2004039059.tif 000006
【図５】
2004039059.tif 000007
【図６】
2004039059.tif 000008
【図７】
2004039059.tif 000009
【図８】
2004039059.tif 000010
【図９】
2004039059.tif 000011
【図１０】
2004039059.tif 000012
【図１１】
2004039059.tif 000013
【図１２】
2004039059.tif 000014
【図１３】
2004039059.tif 000015
【図１４】
2004039059.tif 000016
【図１５】
2004039059.tif 000017